(57)【要約】【課題】低廉であって、かつ短時間のうちに高精度のＴＴＬ測距が行なえる撮影装置を提供する。【解決手段】  保護ガラス１０１１とＣＣＤ１０１０とからなるＣＣＤユニット１０１を駆動する駆動部１００１を設ける。撮影操作に応じてまずＣＣＤユニット１０１を図２（ｂ）に示すように傾けて第２の姿勢にして保護ガラス１０１１表面で反射した光をＡＦ受光センサ１１０に導き、ＡＦ受光センサ１１０に測距を行なわせる。その後、図２（ａ）に示す第１の姿勢に戻してＣＣＤＡＦを行なって被写体距離の測定を行なう。【選択図】  図２
2006145871.tif 000002
【特許請求の範囲】
【請求項１】
撮影光学系で被写体を捉えて該被写体を撮像素子の受光面上に結像させ該撮像素子で該被写体を表す画像データを生成する撮影装置において、
前記撮像素子とともに撮像素子ユニットを構成する、該撮像素子受光面前面を覆う保護ガラスと、
前記撮像素子ユニットを、前記撮影光学系で捉えた被写体が前記撮像素子の受光面上に結像される第１の姿勢と、該第１の姿勢に対し傾いた第２の姿勢とに駆動する駆動部と、
前記撮影光学系を経由し前記撮像素子ユニットが前記第２の姿勢にあるときの前記保護ガラスで反射した光を捉える位置に配置された、前記撮像素子とは別体の測距用受光センサと、
前記撮像素子と前記測距用受光センサとのうちの少なくとも該測距用受光センサを用いて前記撮影光学系のピントを調整するピント調整部とを備えたことを特徴とする撮影装置。
【請求項２】
前記保護ガラスが、前記撮像素子受光面よりも広がり、前記駆動部は、前記撮像素子ユニットを、該撮像素子ユニットが前記第２の姿勢にあるときに前記保護ガラスの前記撮像素子受光面から外れた所定の反射領域で反射した光が前記測距用受光センサに入射する位置に駆動するものであって、
前記保護ガラスは、前記所定の反射領域の反射率が該保護ガラスの、前記撮像素子受光面に対面する領域よりも高められたものであることを特徴とする請求項１記載の撮影装置。
【請求項３】
撮影光学系で被写体を捉えて該被写体を撮像素子の受光面上に結像させ該撮像素子で該被写体を表す画像データを生成する撮影装置において、
前記撮像素子とともに前記撮像素子ユニットを構成する、該撮像素子の受光面前面を覆うとともに前記撮像素子の受光面よりも広がる保護ガラスと、
前記撮像素子ユニットを、前記撮影光学系で捉えた被写体が前記撮像素子の受光面上に結像される第１の位置と、該第１の位置に対し該撮像素子ユニットがスライドした第２の位置とに駆動する駆動部と、
前記撮像素子および前記保護ガラスとともに前記撮像ユニットを構成する、前記保護ガラスの、前記撮像素子受光面に対面する領域から外れた所定領域に配備され、該撮像素子ユニットが前記第２の位置にあるときに前記撮影光学系を経由して入射してきた光を前記撮影光学系の光軸に対し斜めに反射する反射体と、
前記撮影光学系を経由し前記撮像素子ユニットが前記第２の位置にあるときの前記反射体で反射した光を捉える位置に配備された、前記撮像素子とは別体の測距用受光センサと、
前記撮像素子と前記測距用受光センサとのうちの少なくとも該測距用受光センサを用いて前記撮影光学系のピントを調整するピント調整部とを備えたことを特徴とする撮影装置。
【請求項４】
前記撮像素子ユニット前面であって該撮像素子ユニットから離れた位置に配備されたエリアシングノイズ除去用のローパスフィルタと、
前記ローパスフィルタとともに前記保護ガラス表面を包み込む柔軟材とを備えたことを特徴とする請求項１又は３記載の撮影装置。
【請求項５】
前記撮像素子ユニットが、さらに、前記駆動部による前記撮像素子ユニット駆動時に他の部材に当接した衝撃音を発する錘を備えたものであることを特徴とする請求項１または３記載の撮影装置。
【発明の詳細な説明】
【技術分野】
【０００１】
撮影光学系で被写体を捉えて該被写体を撮像素子の受光面上に結像させその撮像素子でその被写体を表す画像データを生成する撮影装置に関する。
【背景技術】
【０００２】
近年においては、自動的にピント調整を行う、いわゆるオートフォーカス（以降ＡＦという）機能を備えた撮影装置が多い。そのＡＦ機能を備えた撮影装置の中には、レンズを通してピント調整を行う、いわゆるＴＴＬ（Ｔｈｒｕ  Ｔｈｅ  Ｌｅｎｓ）測距を行うものもある。このようなＴＴＬ測距としては撮像素子（撮像素子としてはＣＣＤが最も良く用いられるので以降撮像素子としてＣＣＤを例に挙げて説明する）を用いるもの（以降ＣＣＤＡＦという）やパッシブ型測距用受光センサを用いるもの等がある。ＣＣＤＡＦはＣＣＤを測距用受光センサとして用いて測距を行なおうとするものであって、至近距離にいる被写体に対応する最至近点位置から無限遠方にいる被写体距離に対応する最遠点位置までの区間、フォーカスレンズを移動させてそのフォーカスレンズを移動させている区間内でＣＣＤに結像させた被写体のうち、最も大きな被写体コントラストが得られるフォーカスレンズの位置を被写体が存在する位置つまり合焦位置とする処理が行なわれる。このようなＣＣＤＡＦを行なうと高精度の測距結果が得られる反面、最至近点から最遠点までフォーカスレンズを駆動しなければならないため、その駆動にかなりの時間を要してしまう。
【０００３】
そこで、上記ＣＣＤＡＦを行なわずにパッシブ型の測距用受光センサを用いて、時間をかけずにＴＴＬ測距を行なう技術が多数提案されている（例えば特許文献１〜特許文献３参照）。
【０００４】
特許文献１〜特許文献２のものは、被写体光が通過する撮影光路（もしくはファインダ光路）にハーフミラーを設けてそのハーフミラーにより測距用受光センサ側に撮影光を導いて精度の高い測距を行なおうとするものである。しかし特許文献１や特許文献２のようにハーフミラーを撮影光路上に置くと、撮影光のレベルが半減されてしまうので被写体輝度によっては撮影に支障をきたす恐れもある。そこで、特許文献３のものでは撮影時に撮影光路上からハーフミラーを退避させて撮影時においては充分な撮影光量が撮像素子に与えるように工夫が凝らされている。
【０００５】
しかしながら特許文献１〜特許文献３のいずれのものにおいても、測距用受光センサに光を導くためのハーフミラーが測距用の部品として追加されているため、ハーフミラーのコスト分、全体コストがアップしてしまうという問題がある。
【特許文献１】特開平７−１４３３９１号公報
【特許文献２】特開平９−４３５０６号公報
【特許文献３】特開２００２−６２０８号公報
【発明の開示】
【発明が解決しようとする課題】
【０００６】
本発明は、上記事情に鑑み、低廉であってかつ短時間のうちに高精度のＴＴＬ測距が行なえる撮影装置を提供することを目的とする。
【課題を解決するための手段】
【０００７】
上記目的を達成する本発明の第１の撮影装置は、撮影光学系で被写体を捉えてその被写体を撮像素子の受光面上に結像させその撮像素子でその被写体を表す画像データを生成する撮影装置において、
上記撮像素子とともに撮像素子ユニットを構成する、その撮像素子受光面前面を覆う撮像ガラスと、
上記撮像素子ユニットを、上記撮影光学系で捉えた被写体が上記撮像素子の受光面に結像される第１の姿勢と、その第１の姿勢に対し傾いた第２の姿勢とに駆動する駆動部と、
上記撮影光学系を経由し前記撮像素子ユニットが上記第２の姿勢にあるときの上記保護ガラスで反射した光を捉える位置に配置された、上記撮像素子とは別体の測距用受光センサと、
上記撮像素子と上記測距用受光センサとのうちの少なくともその測距用受光センサを用いて上記撮影光学液のピントを調整するピント調整部とを備えたことを特徴とする。
【０００８】
上記本発明の第１の撮影装置によれば、上記駆動部によって上記第２の姿勢になるように駆動されたときに上記測距用受光センサによりＴＴＬ測距が行なわれる。このためいままでのようにハーフミラーを用いなくてもその測距用受光センサに光が導かれて測距が行なわれる、低廉な撮影装置が実現される。
【０００９】
ここで上記保護ガラスの表面の反射率はあまり高くできないので、測距用受光センサでの測距の誤差が大きくなることも有り得る。
【００１０】
そこで上記測距用受光センサによる測距であまり精度が得られなかったときには、受光センサによる測距を行なった後、その測距により得られた被写体距離周辺のみフォーカスレンズを移動させることによって精度の高いＴＴＬ測距を撮像素子を用いて行なうこともできる。
【００１１】
このようにハーフミラーを削減した分、低廉化が図れて、かつ測距用受光センサのみで、また測距用受光センサと撮像素子との双方を併用してＴＴＬ測距を行なうことができる撮影装置が実現される。
【００１２】
ここで、上記保護ガラスが、上記撮像素子受光面よりも広がり、上記駆動部は、上記撮像素子ユニットを、その撮像素子ユニットが上記第２の姿勢にあるときに上記保護ガラスの上記撮像素子受光面から外れた所定の反射領域で反射した光が上記測距用受光センサに入射する位置に駆動するものであって、
上記保護ガラスは、上記所定の反射領域の反射率がその保護ガラスの、上記撮像素子受光面に対面する領域よりも高められたものであることが好ましい。
【００１３】
このように上記保護ガラスの、上記所定の反射領域の反射率がその保護ガラスの、上記撮像素子の受光面に対面する領域よりも高められたものであると、撮影光のレベルが減光されずにそのまま上記測距用受光センサに入射されることとなる。
【００１４】
そうすると、測距用受光センサに測距を行なうのに充分な光量が入射されるので測距用受光センサの測距精度が高まる。このように測距用受光センサの測距精度が高まると、この測距用受光センサのみで測距を行なっても誤差が小さくなる。
【００１５】
ただし、測距用受光センサの測距精度が高まってもまだ誤差が多いと判定されるような場合には、上記と同様、撮像素子を用いたＴＴＬ測距を併用することによって、短時間のうちに高精度の測距を行なうこともできる。
【００１６】
上記目的を達成する本発明の第２の撮影装置は、撮影光学系で被写体を捉えて該被写体を撮像素子の受光面上に結像させ該撮像素子でその被写体を表す画像データを生成する撮影装置において、
上記撮像素子とともに上記撮像素子ユニットを構成する、その撮像素子の受光面前面を覆うとともに上記撮像素子の受光面よりも広がる保護ガラスと、
上記撮像素子ユニットを、上記撮影光学系で捉えた被写体が上記撮像素子の受光面上に結像される第１の位置と、その第１の位置に対しその撮像素子ユニットがスライドした第２の位置とに駆動する駆動部と、
上記撮像素子および上記保護ガラスとともに上記撮像ユニットを構成する、上記保護ガラスの、上記撮像素子受光面に対面する領域から外れた所定領域に配備され、その撮像素子ユニットが上記第２の位置にあるときに上記撮影光学系を経由して入射してきた光を上記撮影光学系の光軸に対し斜めに反射する反射体と、
上記撮影光学系を経由し上記撮像素子ユニットが前記第２の位置にあるときの上記反射体で反射した光を捉える位置に配備された、上記撮像素子とは別体の測距用受光センサと、
上記撮像素子と上記測距用受光センサとのうちの少なくともその測距用受光センサを用いて上記撮影光学系のピントを調整するピント調整部とを備えたことを特徴とする。
【００１７】
上記本発明の第１の撮影装置では、上記駆動部に上記撮像素子ユニットを傾せて撮像素子ユニットの中の保護ガラスの表面で撮影光を反射させて受光センサにその反射した光を導くような構成であったが、上記本発明の第２の撮影装置のように上記撮像素子ユニットの保護ガラスの所定領域に上記反射体を設けて上記撮像素子ユニットを構成しておき、その撮影素子ユニットが上記駆動部によってスライド駆動されたときにその反射体で反射された光が測距用受光センサに導かれるようなものであっても良い。
【００１８】
この第２の撮影装置の構成であっても、上記本発明の第１の撮影装置と同様の効果が得られる。
【００１９】
ここで、上記撮像ユニット前面であってその撮像素子ユニットから離れた位置に配備されたエリアシングノイズ除去用のローパスフィルタと、
上記ローパスフィルタとともに上記保護ガラス表面を包み込む柔軟材とを備えた態様であることが好ましい。
【００２０】
このように上記柔軟材により上記ローパスフィルタとともに上記保護ガラス表面が包み込まれると、保護ガラス側にゴミが侵入し難くなり撮像素子受光面にゴミが付着するなどの不具合が改善されるという付随的な効果が得られる。
【００２１】
さらに上記撮像素子ユニットが、さらに、上記駆動部による上記撮像素子ユニット駆動時護るに他の部材に当接した衝撃音を発する錘を備えたものであることが好ましい。
【００２２】
そうすると、例えばレリーズ操作に応じて上記錘を他の部材に当接させることにより発する衝撃音をピント調整中であることなどを示す音として用いることができる。
【発明の効果】
【００２３】
以上、説明したように、低廉であってかつ短時間のうちに高精度のＴＴＬ測距が行なえる撮影装置が実現される。
【発明を実施するための最良の形態】
【００２４】
本発明の一実施形態として機器の一例にあたるデジタルカメラを掲げて以降説明する。      
【００２５】
図１はそのデジタルカメラ１の外観を示す図である。
【００２６】
図１（ａ）には、デジタルカメラの正面図が示されており、図１（ｂ）には、デジタルカメラ１の背面図が示されている。
【００２７】
図１に示すように撮影装置のボディ１ｂの中央にレンズ鏡胴１０が配備されている。そのレンズ鏡胴１０内には撮影光学系が内蔵されている。そのレンズ鏡胴１０の上方に測光部１２があり、その測光部の隣にファインダ１１が設けられている。さらにそのファインダ１１の隣には閃光発光窓１３が配備され、またカメラボディ１ｂ上面にはレリーズ釦１４が配備されている。
【００２８】
ここで、このデジタルカメラの内部構成のうち、レンズ鏡胴に内蔵されている撮影光学系で被写体が結像される撮像素子（ここではＣＣＤを用いているので以降ＣＣＤという）周辺の構成を、図２を参照して説明する。
【００２９】
図２は、ＣＣＤ１０１０とそのＣＣＤ１０１０の受光面前面を覆う保護ガラス１０１１とからなるＣＣＤユニット１０１周辺の構成を示す図である。また、図３は、ＣＣＤユニット１０１の構成を示す図である。
【００３０】
いままではハーフミラーにより撮影光を２分配して分配された一方の光をＡＦ受光センサに導いてＴＴＬ測距を行なっていたが、本実施形態ではＣＣＤユニット１０１を駆動する駆動部１００１を設けて、その駆動部１００１によりＣＣＤユニット１０１を駆動させてＣＣＤユニット１０１を傾いた姿勢にすることによってＣＣＤユニット１０１の中の保護ガラス１０１１表面で反射した光をＡＦ受光センサ１１０に導くことができるように改良している。以降の説明においては、図２（ａ）に示すＣＣＤユニット１０１の姿勢を第１の姿勢といい、図２（ｂ）に示すＣＣＤユニットの姿勢を第２の姿勢という。
【００３１】
図３には、保護ガラス１０１１表面で反射した光をＡＦ受光センサ１０１３に光を導くにあたって、図２に示す保護ガラス１０１１の、撮像素子１０１０の受光面１０１０Ａに対面する領域から外れた所定の反射領域１０１１Ａの反射率が、保護ガラスの受光面１０１０Ａに対面する領域よりも高められるような特殊処理が施されていることがハッチングにより示されている。
【００３２】
図３に示すように保護ガラス１０１１の所定の反射領域１０１１Ａに反射率を高めるような特殊処理が施されていると、その所定の反射領域１０１１Ａでより多くの光が反射される。
【００３３】
ここでは、レリーズ釦の半押し時にＣＰＵからの指示に応じて駆動部１００１が、ＣＣＤユニット１０１を、図２（ａ）に示す第１の姿勢に対し傾いた第２の姿勢になるように駆動しており、その駆動部がＣＣＤユニット１０１を第２の姿勢に保つ位置は、ＣＣＤユニット１０１が第２の姿勢にあるときにＣＣＤユニット１０１の保護ガラス１０１１のＣＣＤ１０１０の受光面から外れた所定の反射領域１０１１Ａ（図３参照）で反射した光がＡＦ受光センサ１１０に入射する位置である。このため、測距に必要な光量を持つ光がＡＦ受光センサ１１０に入射して高い精度の測距が行なわれるようになってＡＦ受光センサ１１０のみでの測距が可能となっている。つまりＡＦ受光センサ１１０で瞬時のうちにＴＴＬ測距が行なえる撮影装置が実現されている訳である。
【００３４】
しかし本実施形態では、そのＡＦ受光センサ１１０での測距にいまだ誤差が多く含まれるものとして、さらに測距精度を高めるためにＡＦ受光センサでの測距に加えてＣＣＤを用いたＣＣＤＡＦを併用してより高い精度のＴＴＬ測距を行なうように工夫している。
【００３５】
このような構成のＣＣＤユニット１０１の周辺の構成を、図２を参照して説明する。
【００３６】
図２（ａ）には撮影光学系で捉えた被写体がＣＣＤユニット１０１の中のＣＣＤ１０１０の受光面に結像される第１の姿勢が示されており、図２（ｂ）には、駆動部１００１によりＣＣＤユニット１０１が駆動され、図２（ａ）に示す第１の姿勢に対し傾いた第２の姿勢に駆動された後の状態が示されている。
【００３７】
このデジタルカメラ１は、ＣＣＤ１０１０とともにＣＣＤユニット１０１を構成する、ＣＣＤ１０１０受光面前面を覆う保護ガラス１０１１と、そのＣＣＤユニット１０１を、撮影光学系で捉えた被写体がＣＣＤ１０１０の受光面に結像される第１の姿勢と、その第１の姿勢に対し傾いた第２の姿勢とに駆動する駆動部１００１とを備えている。その駆動部により撮像素子ユニット１０１全体が回動軸１００１ｂを中心にして回動され、図２（ａ）に示す姿勢に駆動されたり、図２（ｂ）に示す姿勢に駆動されたりする。
【００３８】
さらに本実施形態のデジタルカメラ１は、フォーカスレンズ１０Ａを含む撮影光学系を経由しＣＣＤユニット１０１が第２の姿勢にあるときの保護ガラス１０１１で反射した光を捉える位置に配置された、ＣＣＤ１０１０とは別体のＡＦ受光センサ１１０を備えている。また、ＣＣＤ１０１とＡＦ受光センサ１１０とのうちの少なくともＡＦ受光センサ１０１３を用いて撮影光学系のピントを調整するピント調整部１０５を後段に備えている。
【００３９】
このような構成になっていると、例えば、このデジタルカメラ１が備えるレリーズ釦１４が半押しと全押しの操作態様を備えたものであれば、半押し時に、まず図２（ｂ）に示す姿勢にしてＡＦ受光センサ１０１３により誤差が多めの測距を行なっておいて、その後、図２（ａ）に示す姿勢にしてＣＣＤＡＦにより精度の良い測距を行なって測距結果に応じた位置にフォーカスレンズを駆動した後、全押し操作に応じて被写体を表す画像信号の生成をＣＣＤに行なわせることができる。
【００４０】
ここで、図２（ａ）に示す第１の姿勢にあるときに撮影処理がどのように行なわれるかを簡単に説明しておく。
【００４１】
図２（ａ）に示すように、図２（ａ）の左側方向から入射してくる被写体光（撮影光）を撮影光学系で捉えてその被写体光をＣＣＤ１０１０の受光面上に結像させることによりＣＣＤ１０１０によって被写体を表す画像データが生成される。そのＣＣＤ１０１０の後段にはＣＤＳ回路１０２、さらにＡＤ部１０３が配備されており、クロックジェネレータ（図示せず）からの指示に応じてＣＣＤ１０１０で生成された画像信号がＣＤＳ回路１０２へ出力されＣＤＳ回路１０２で画像信号に重畳されているノイズが低減された後、ノイズが低減された画像信号がＡＤ部１０３でデジタル信号に変換される。さらにこのデジタルの画像信号になったＲＧＢ信号が後段の信号処理部１０４へ供給されその信号処理部１０４で信号処理された画像信号が表示装置（図示せず）に供給されて表示画面上に画像信号に基づくスルー画が表示されたり、撮影操作に応じて信号処理部からメモリカードＩ／Ｆ（図示せず）に供給されてそのメモリカードＩ／Ｆによってメモリカードに画像信号が記録されたりする。
【００４２】
また、本実施形態においては、ＣＣＤユニット１０１前面であってそのＣＣＤユニット１０１から離れた位置に配備されたエリアシングノイズ除去用のローパスフィルタ１０１３が配備されており、そのローパスフィルタ１０１３とともに上記保護ガラス１０１１表面を柔軟材１０１２で包み込むことによって防塵構造を実現している。さらに駆動部１００１によってＣＣＤユニット１０１が駆動された時に、他の部材ここではカメラボディ１ｂ内壁に当接した衝撃音を発する錘１０１２Ａを柔軟材１０１２内部に埋め込んでおいて、レリーズ操作に応じて駆動部１００１が撮像素子ユニット１０１を柔軟材１０１２ともども駆動した時にその錘１０１２Ａがボディ内壁１ｂに当接した衝撃音を、ピント調整が行なわれていることを撮影者に知らせる音として用いることができるようにもしてある。
【００４３】
以上が撮影に係わる処理内容である。
【００４４】
ここで、本願の特徴部分であるところのピント調整部１０５の処理を説明する。
【００４５】
前述したように本実施形態のデジタルカメラ１では、ＡＦ受光センサ１１０とＣＣＤＡＦとを併用してＴＴＬ測距を行なっている。このため、まず第２の姿勢にして概略のピント位置をＡＦ受光用センサ１１０により探索しておいて、フォーカスレンズ１０Ａを移動させる範囲を狭くしてその狭い範囲のみＣＣＤＡＦを行なって精度の良いピント位置を検出しようとしている。
【００４６】
図４は、従来のＣＣＤＡＦでのフォーカスレンズ１０Ａの駆動に要する時間と本発明によるＣＣＤＡＦでのフォーカスレンズ１０Ａの駆動に要する時間の違いを説明する図である。
【００４７】
図４（ａ）には、いままでのＣＣＤＡＦでのフォーカスレンズ１０Ａの駆動に要する時間が示されており、図４（ｂ）には本発明によるＣＣＤＡＦでのフォーカスレンズの駆動に要する時間が示されている。図４（ａ）、図４（ｂ）の双方の横軸はフォーカスレンズ１０Ａの移動範囲であり、縦軸は時間である。
【００４８】
図４（ａ）に示すように、いままではフォーカスレンズ１０Ａを最遠点（図４には無限大を示す符号∞で示されている）に配置しておき、そこから最至近点（図４には英単語の近くを意味するＮｅａｒで示されている）を超えた位置、つまりＣＣＤの受光面から最も離れた位置（図４にはフォーカスレンズを誤差を含めたサーチ範囲の端まで移動と記載されている）まで駆動して、その後、ＣＣＤの受光面に近づくようにフォーカスレンズを駆動して合焦位置を探索しようとしているため、図４（ａ）、図４（ｂ）に示されているＢＥＳＴＰＩＮＴ（ベストピント）位置を探索するまでに相当の時間を要していたことが分かる。
【００４９】
これに対し図４（ｂ）に示す本発明のＣＣＤＡＦでは、ＡＦ受光センサ１１０により誤差を多めに含む測距が予め行なわれているので、フォーカスレンズ１０Ａを移動させる範囲が狭まってＣＣＤＡＦでのフォーカスレンズ１０Ａの駆動に要する時間がかなり短縮されていることが分かる。
【００５０】
このようにすると、ＣＣＤＡＦでのフォーカスレンズ１０Ａの駆動に要する時間を短縮させ、さらにその短縮させた時間の中で今までどおりの精度の高い測距が行なえる。
【００５１】
なお、前述したようにＡＦ受光センサの精度が高ければ、ＣＣＤＡＦを併用する必要はなく、ＡＦ受光センサ１１０のみで測距を行なうものであっても良い。
【００５２】
以上説明したように、ＡＦ受光センサ１１０を用いることによって短時間のうちに高精度のＴＴＬ測距が行なえる撮影装置が実現される。又、ＡＦ受光センサ１１０は、二次結像式位相差ＡＦユニットでも良い。
【００５３】
図５は、第２の実施形態を示す図である。
【００５４】
図２の第１の実施形態であるデジタルカメラ１では、上記駆動部１００１にＣＣＤユニット１０１を傾せてＣＣＤユニット１０１の中の保護ガラス１０１１の表面で撮影光を反射させてＡＦ受光センサ１１０にその反射した光を導くような構成であったが、図５ではＣＣＤユニット１０１の保護ガラス１０１１の所定領域に反射体１０１１１を設けてＣＣＤユニット１０１がスライド駆動部１００１Ｓによってスライド駆動されたときにその反射体１０１１１で反射された光がＡＦ受光センサ１１０に導かれるような構成になっている。それ以外の構成は図２と同様のものであるので図示してはいないが、図５のような構成であっても図２と同様の効果が得られる。
【００５５】
以上説明したように、図２、図５いずれの構成にしても上記測距用受光センサにより誤差を多めに含む測距を行なった後、その測距により得られた被写体距離周辺のみフォーカスレンズを移動させることによって短時間のうちにＣＣＤＡＦによる高精度な測距が行なえる撮影装置が実現される。
【図面の簡単な説明】
【００５６】
【図１】そのデジタルカメラ１の外観を示す図である。
【図２】ＣＣＤ１０１０とそのＣＣＤ１０１０の受光面前面を覆う保護ガラス１０１１とからなるＣＣＤユニット周辺の構成を示す図である。
【図３】ＣＣＤユニットの構成を示す図である。
【図４】従来のＣＣＤＡＦと本発明によるＣＣＤＡＦとの間のフォーカスレンズの駆動に要する時間の違いを説明する図である。
【図５】第２の実施形態を示す図である。
【符号の説明】
【００５７】
１      デジタルカメラ
１０    レンズ鏡胴
１１    ファインダ
１２    測光部
１３    閃光発光窓
１４    レリーズ釦
１００    ＣＰＵ
１００１  駆動部
１００１Ｓ    スライド駆動部
１０１    撮像素子（ＣＣＤ）ユニット
１０１０    撮像素子（ＣＣＤ）
１０１１    保護ガラス
１０１１１    反射体
１０２    ＣＤＳ
１０３    ＡＤ部
１０４    信号処理部
１０５    ピント調整部
１１０    測距用（ＡＦ）受光センサ又は測距ユニット（二次結像式位相差）
【図１】
2006145871.tif 000003
【図２】
2006145871.tif 000004
【図３】
2006145871.tif 000005
【図４】
2006145871.tif 000006
【図５】
2006145871.tif 000007